(57)【特許請求の範囲】
【請求項１】
電子、電気機器の機能を制御する制御装置（１０Ａ〜１０Ｅ）であって、
殻体（１Ａ〜１Ｅ）の側面に横向きに貫通し、指を挿入するための指止孔（１１）を備え、
殻体（１Ａ〜１Ｅ）に主制御ローリングボール（１２）及びディスプレイ（１３）を設け、主制御ローリングボール（１２）によって制御信号を発生するようにし、
殻体（１Ａ〜１Ｅ）に機能を選択する機能選択装置（１４）を設け、
殻体（１Ａ〜１Ｅ）の下部に、前記指止孔に対して直交する方向に伸びて別の指で握ることができる把手（１５）を設け、
指止孔に挿入された指と把手を握る指で支えることによって制御装置を片手で把持するようにし、前記主制御ローリングボールと前記機能選択装置を、制御装置を握った手の親指で操作して、機器の機能を制御することができることを特徴とする制御装置。
【請求項２】
前記機能選択装置（１４）はスイッチである請求項１記載の制御装置。
【請求項３】
前記主制御ローリングボール（１２）は、押しボタンスイッチ機能を含むトラックボール、または、揺動スイッチ機能を含むジョイスティックであることを特徴とする請求項１または２記載の制御装置。
【請求項４】
殻体（１Ａ〜１Ｅ）は、主制御ローリングボール（１２）の操作により制御信号を発生する回路を含むことを特徴とする請求項１ないし３のいずれか１項に記載の制御装置。
【請求項５】
殻体（１Ａ〜１Ｅ）は、主制御ローリングボール（１２）及びディスプレイ（１３）が位置する上面部材と、中央で２分されて指止孔（１１）を備える２つの下部部材とで構成される請求項１ないし４のいずれか１項に記載の制御装置。
【請求項６】
殻体（１Ａ〜１Ｅ）は同質または異なる材質により単独に作られる複数の部材が組み合わされて構成される請求項１ないし５のいずれか１項に記載の制御装置。
【請求項７】
前記主制御ローリングボール（１２）は、指による操作を非機械式検知機構で検知するものである請求項１ないし６のいずれか１項に記載の制御装置。
【発明の詳細な説明】
【０００１】
【発明の属する技術分野】
本発明は、電子、電気機器の機能を制御する制御装置の構成に関するものである。
【０００２】
【従来の技術】
従来の手持ち型の制御装置で、例えばリモートコントローラ、掌握型電子ゲーム器、掌握型電子計算器などは、いずれもその外形構成は人の手に合わせた方形状のものである。
【０００３】
【発明が解決しようとする課題】
かかる従来の掌握型の制御装置の構成は、単なる方形状で、それらの容積は比較的大きく、手に持った場合の握持具合はよいものではなかった。操作するのにも各種の機能装置の配置が手の指に合わせた適切なものでなく、片手で操作するのは難しく必ずしも使い勝手の良いものではない。
本発明は、制御装置の表面にローリングボール及びディスプレイを設け、殻体に指を通す指止孔を設け、別の指で握る把手を設け、制御装置自体を手中に握り易く小型に構成し、指先でローリングボール、機能選択装置等を自由に操作できるようにして、前記従来の問題点を解決しようとするものである。
【０００４】
【課題を解決するための手段】
前述した問題点を解決するために、本発明の制御装置は、電子、電気機器の機能を制御する制御装置であって、殻体の側面に横向きに貫通し、指を挿入するための指止孔を備え、殻体に主制御ローリングボール及びディスプレイを設け、主制御ローリングボールによって制御信号を発生するようにし、殻体に機能を選択する機能選択装置を設け、殻体の下部に、前記指止孔に対して直交する方向に伸びて別の指で握ることができる把手を設け、指止孔に挿入された指と把手を握る指で支えることによって制御装置を片手で把持するようにし、前記主制御ローリングボールと前記機能選択装置を、制御装置を握った手の親指で操作して、機器の機能を制御することができるようにしたものである。
前記機能選択装置はスイッチとすることができる。
前記主制御ローリングボールは、押しボタンスイッチ機能を含むトラックボール、または、揺動スイッチ機能を含むジョイスティックであり、また、殻体は、主制御ローリングボールの操作により制御信号を発生する回路を含むことができる。
【０００５】
殻体は、主制御ローリングボール及びディスプレイが位置する上面部材と、中央で２分されて指止孔を備える２つの下部部材とで構成されることができる。
また、殻体は同質または異なる材質により単独に作られる複数の部材が組み合わされて構成されるようにすることができる。
前記主制御ローリングボール（１２）は、指による操作を非機械式検知機構で検知することができる。
【０００６】
【発明の実施の形態】
図１に本発明の第１の参考の形態を示す。（ａ）の斜視図に示すように制御装置１０Ａの構成は、殻体１Ａの表面に電子、電気機器の機能を制御する主制御ローリングボール１２を、制御の状態を表示するディスプレイ１３を設ける。
殻体１Ａの形状は卵形で、側面に手の指を挿入して握持し易いようにした指止孔１１を設け、その指止孔１１の内側に機能を選択する機能選択装置１４を設けたものである。
【０００７】
主制御ローリングボール１２の構成は、押しボタンスイッチ機能を含むトラックボールの構成であってもよく、または、揺動スイッチ機能を含むジョイスティックの構成であってもよく、主制御ローリングボール１２は電気抵抗式、コンデンサー式、光学式、パルス式あるいはエンコーダ式等により、デジタルまたはアナログの制御信号を発生する。
機能選択装置１４は、スイッチ、表示ランプ、音響表示器、タイマ及び計数器等の１項目または複数項目の装置からなり、主制御ローリングボール１２より発生するデジタルまたはアナログの制御信号と相挨って機器の機能を制御する。
【０００８】
殻体１Ａの形状は、（ｂ）の平面図に示すようにローリングボール１２及びディスプレイ１３の位置する上面の前部は楕円形で、（ｃ）の正面図に示すように前にローリングボール１２が、その後にディスプレイ１３がある。（ｄ）の側面図に示すように、側面からみると殻体１Ａは楕円形で、その中央部にやはり楕円形の指止孔１１を設けたものである。指止孔１１の前部の内側には機能選択装置１４があり、握持するために挿入した指で操作するようになっている。
【０００９】
殻体１Ａの構造は、（ｂ）、（ｃ）、（ｄ）に示すように、ローリングボール１２及びディスプレイ１３の位置する上面部材と、指止孔１１がある下部の握部を構成する縦に中央で２分される左右対称の２つの殻体部材との複数の部材で形成されている。下部の殻体部材は内部が中空の一体の部材でもよく、これら部材は同質または異なる材質の例えばプラスチック材により単独に作られ、組み合わされて殻体１Ａが構成される。さらに、ローリングボール１２、ディスプレイ１３、機能選択装置１４及び殻体１Ａ内部に実装される電子制御回路部品、電源素子等の単独なパーツを組み込んで制御装置１０Ａは構成される。
【００１０】
前記、第１の参考の形態の動作を説明すると、殻体１Ａの指止孔１１に手の親指を挿入して制御装置１０Ａを手中に保持し、表面側に位置する第２指をもってローリングボール１２を任意に廻して機器の制御を行い、また指止孔１１に挿入した親指の根元でもって機能選択装置１４を操作し機器の機能を選択制御する。前記のように制御装置１０Ａを操作することによって、マウスのように机上のマウスパットがなくても、あるいはジョイスティックのように机の上に固定することなく、腕を機器の設置した机より離した状態で、どんな方向、角度、距離に係わらず安定に操作することができる。
【００１１】
図２に本発明の第２の参考の形態を示す。（ａ）にその斜視図を示す制御装置１０Ｂの殻体１Ｂは楕円形で、（ｂ）の平面図に示すように、ローリングボール１２及びディスプレイ１３の位置する上部は幅の広い半円形で下部は漸次細くなる握部を呈し、（ｄ）の側面図に示すように、側面は楕円形でその内部にやはり細長い楕円形の指止孔１１を設けたものである。指止孔１１の前部内側には必要に応じて機能選択装置１４を設けてもよく、（ｃ）の正面図では、前部にディスプレイ１３とその後にローリングボール１２が位置している。
第２の参考の形態は、前記第１の参考の形態と外形形状を異なるものとするもので、機能操作は同じものである。
【００１２】
図３に本発明の実施の形態を示す。（ａ）の斜視図に示す制御装置１０Ｃの卵形の殻体１Ｃをより一層握り易くするように、下部に適当な弧状を呈した把手１５を設けたものである。（ｂ）の平面図に示すように、上部にディスプレイ１３を、下部にローリングボール１２を設け、（ｄ）の側面図に示すように、楕円形の指止孔１１の前部内側に機能選択装置１４を設けている。（ｃ）の正面図では、前部にディスプレイ１３とその後にローリングボール１２がある。
殻体１Ｃの楕円形の指止孔１１に手の第２、３指を挿入し、把手１５を手の第４、５指で支えることによって、容易に制御装置１０Ｃを握持することができ、表面のローリングボール１２及び機能選択装置１４を親指で操作するようにしたものである。
【００１３】
図４に本発明の第３の参考の形態を示す。（ａ）の斜視図に示す制御装置１０Ｄの卵形の殻体１Ｄの側面に２つの指止孔１１、１１を設けている。（ｂ）の平面図に示すように、上部にディスプレイ１３を、下部にローリングボール１２を設け、（ｄ）の側面図に示すように、上部の指止孔１１の上部内側に機能選択装置１４を設けている。（ｃ）の正面図では、前部にディスプレイ１３とその後にローリングボール１２がある。
殻体１Ｄの上部指止孔１１に手の第２、３指を、下部指止孔１１に手の第４、５指を挿入して、指で指止孔１１、１１を挟み込むように殻体１Ｄを握持し、制御装置１０Ｄを容易に握ることができる。表面のローリングボール１２及び機能選択装置１４を親指で操作する。
【００１４】
図５に本発明の第４の参考の形態を示す。（ａ）に示すものは、制御装置１０Ｅの卵形の殻体１Ｅの後面に設けた２つの対応した係止溝２ａに、弾力を持つ環状把手２の両端を埋め込むように嵌合し、殻体１Ｅの側面に必要に応じて機能選択装置１４を設けたものである。（ｂ）に示すものは、制御装置１０Ｅの卵形の殻体１Ｅの後面に設けた２つネジ孔に、クローズド環状把手３の片側面をボルト４で取り付け、殻体１Ｅの側面に必要に応じて機能選択装置１４を設けたものである。何れの場合においても、殻体１Ｅの後面に形成された環状把手２、３に片手の第２〜５指を挿入し制御装置１０Ｅを握って、表面のローリングボール１２及び側面の機能選択装置１４を親指で操作するものである。または、環状把手２、３を片手で持って制御装置１０Ｅを宙吊りにし、別の手でローリングボール１２及び機能選択装置１４を操作するようにしてもよいものである。
【００１５】
【発明の効果】
以上説明したように、本発明によれば、殻体の表面にローリングボール、ディスプレイ及び機能選択装置を設け、殻体に指を挿入する指止孔及び把手を設けて制御装置を片手で持つようにし、指先でローリングボール及び機能選択装置を操作し、ディスプレイに操作状況を表示するようにしたので、腕を機器を設置した場所から離した状態で、どんな方向、角度及び距離に係わらず安定した操作で機器を遠隔制御することができ、至極簡便な制御装置を構成することができる。
【図面の簡単な説明】
【図１】  本発明の第１の参考の形態の制御装置を示し、（ａ）は斜視図、（ｂ）は平面図、（ｃ）は正面図、（ｄ）は側面図である。
【図２】  第２の参考の形態の制御装置を示し、（ａ）は斜視図、（ｂ）は平面図、（ｃ）は正面図、（ｄ）は側面図である。
【図３】  本発明の実施の形態の制御装置を示し、（ａ）は斜視図、（ｂ）は平面図、（ｃ）は正面図、（ｄ）は側面図である。
【図４】  第３の参考の形態の制御装置を示し、（ａ）は斜視図、（ｂ）は平面図、（ｃ）は正面図、（ｄ）は側面図である。
【図５】  第４の参考の形態の制御装置を示し、（ａ）は弾力を持つ環状把手を持つものの後面からみた斜視図、（ｂ）はクローズド環状把手を持つものの後面からみた斜視図である。
【符号の説明】
１Ａ〜１Ｅ  殻体
２  把手
２ａ  係止溝
３  把手
１０Ａ〜１０Ｅ  制御装置
１１  指止孔
１２  ローリングボール
１３  ディスプレイ
１４  機能選択装置
【図１】
0004057692.tif 000002
【図２】
0004057692.tif 000003
【図３】
0004057692.tif 000004
【図４】
0004057692.tif 000005
【図５】
0004057692.tif 000006